(57)【要約】【課題】調整功能を有するヘッドレストの提供。【解決手段】調整功能を有するヘッドレストは、主に、ヘッドレストに一本、或いは、それ以上の吊りベルトを設置し、吊りベルト一側は開放式で、マジックテープ（登録商標）により結合する。一本以上の固定ベルト、或いは、固定ベルトを有するカバーを利用し、固定ベルトがヘッドレストの吊りベルトに設置され、ヘッドレストが固定ベルト上で自由に移動でき、無段式の上下高度の調整が可能で、且つ、本来のヘッドレストの下方にまで調整可能で、快適な座り心地と、頭部や頚部に快適な靠れを提供し、頚部の中空部により受ける圧力を軽減する。【選択図】    図２
0003133892.tif 000002
【実用新案登録請求の範囲】
【請求項１】
調整功能を有するヘッドレストであって、主に、ヘッドレスト背面に、辺縁から3分の１の距離に一本、或いは、それ以上の吊りベルトを設置し、前記吊りベルト一側は縫合方式を採用し、もう一側はマジックテープ（登録商標）により粘合ができ、前記吊りベルト下方中央にマジックテープ（登録商標）の子側を設置し、その特徴は、
前記ヘッドレストは一本以上の固定ベルト、或いは、固定ベルトを縫合したカバーを使用し、前記固定ベルトを前記ヘッドレスト背後の吊りベルトに穿置した後、前記固定ベルト、及び、前記カバーがヘッドレスト部位に固定され、前記ヘッドレストの吊りベルトが前記固定ベルトを穿過することにより、前記ヘッドレストが前記固定ベルト表面のマジックテープ（登録商標）親側で上下に移動でき、座る人の身長、体型の差異を克服し、快適な座り心地を提供することを特徴とする調整功能を有するヘッドレスト。
【請求項２】
前記ヘッドレスト背面の吊りベルトは、開放側のマックテープをボタンにより代替してもよいことを特徴とする請求項１に記載の調整功能を有するヘッドレスト。
【請求項３】
前記固定ベルトは直接前記ヘッドレストに縫合し、前記固定ベルトがヘッドレストを囲繞して、調整目的を達成することを特徴とする請求項１に記載の調整功能を有するヘッドレスト。
【請求項４】
前記ヘッドレストは前記吊りベルトを取り消してマジックテープ（登録商標）を保留し、前記マジックテープ（登録商標）により直接接合する方式に、マジックテープ（登録商標）の親側の固定ベルト、及び、座椅子カバーを使用してもよいことを特徴とする請求項１に記載の調整功能を有するヘッドレスト。
【請求項５】
前記ヘッドレストの前記吊りベルトは固定式に縫合するのを、前記固定ベルトを前記吊りベルトに穿過する使用に代替してもよいことを特徴とする請求項１に記載の調整功能を有するヘッドレスト。
【請求項６】
前記固定ベルトを固定式にするのは、前記カバーを合わせて使用し、前記固定ベルトを前記吊りベルト下に設置し、更に、前記固定ベルトを前記カバーに縫合する製作方式で前記ヘッドレストを設置することを特徴とする請求項１、或いは、５に記載の調整功能を有するヘッドレスト。
【考案の詳細な説明】
【技術分野】
【０００１】
本考案はヘッドレスト後方に一本、或いは、それ以上の吊りベルトを設置し、一本以上の固定ベルト、或いは、シートカバー上の固定ベルトを吊りベルト内に設置し、これにより、ヘッドレストが固定ベルト上で移動でき、無段式に高度を調整でき、身長に応じて調整することができるヘッドレストに関するものである。
【背景技術】
【０００２】
社会の発展に伴い、車輌量も増加し、車輌は短距離、長距離を結ぶ現代人にとって欠かすことの出来ない交通手段となっている。しかし、道路補修中や大型工事の施工で、道路状況がよくない状況や、ラッシュ時や休日には車が前に進めない混雑状況も生じる。
【０００３】
現在、車輌内に設計されているシートにおいて、ヘッドレストと背もたれ間は組み合わせ方式を採用し、ヘッドレストは上下に高さを調整できるが、ヘッドレストと背もたれ部分の組み合わせ部分に生じる中空空間部位は解決できない。ある考案者は背もたれに掛けて使用するヘッドレストを考案し、ヘッドレスト上下両端に粘合用のマジックテープ（登録商標）を縫合するベルトを固定し、ヘッドレストとベルトを一体に固定し、一同に調整移動して調整功能を達成するものであるが、適当な高度にするために、繰り返し外したりくっつけたりする操作が必要で、且つ、調整距離も限度があり、故に、中空空間部分の問題を改善することができず、長距離での車の移動や、道路の混雑で長時間シートに座ると、頚部が疲労しやすく、特に、シートを倒して休む時、この問題は更に重大になる。
【０００４】
個人の体型や身長は異なるが、シートは固定の規格により製造されるので、シートに座る時、頭と頚部がもたれかかる位置は異なり、中空の部分も皆異なる。車内で休憩したい時、背もたれを傾斜させ、この時、人体がシートに乗る総長さは座っている時よりも長いので、体を適当な位置に移動させる必要があるが、頚部は依然として中空状態であり、改善の必要がある。
【考案の開示】
【考案が解決しようとする課題】
【０００５】
本考案の目的は、ヘッドレストを固定ベルト上で移動できるようにし、個人の体型や身長等に適合させ、快適な車内空間を提供する調整功能を有するヘッドレストを提供することにある。
【課題を解決するための手段】
【０００６】
上述の目的を達成するため、本考案の調整功能を有するヘッドレストは、主に、ヘッドレスト背面に吊りベルトを設置し、一本以上の固定ベルト、或いは、固定ベルトを有するカバーを利用し、固定ベルトがヘッドレストの吊りベルトに設置されると共に、固定ベルト、或いは、カバーをヘッドレストに結固して、ヘッドレストが固定ベルト上で自由に移動でき、無段式の上下高度の調整が可能で、快適な座り心地と、頭部や頚部に快適な靠れを提供し、頚部の中空部により受ける圧力を軽減する。
【考案の効果】
【０００７】
本考案により、ヘッドレストが固定ベルト上で自由に移動でき、無段式の上下高度の調整が可能で、快適な座り心地と、頭部や頚部に快適な靠れを提供することが可能である。
【考案を実施するための最良の形態】
【０００８】
図２は本考案の実施例を示す図で、本構造は、主にヘッドレストからなり、ヘッドレスト１０背側は辺縁から3分の１の距離に一本、或いは、それ以上の吊りベルト１１を設置する。吊りベルト１１一側は縫合方式を採用し、もう一側は開放式で、マジックテープ（登録商標）により粘合ができ、吊りベルト下方中央にマジックテープ（登録商標）の子側を設置する。
【０００９】
図３〜図７で示されるように、一本以上の固定ベルト２０によりヘッドレスト１０背後の吊りベルト１１に穿置し、内側のマジックテープ（登録商標）子側３１により外側のマジックテープ（登録商標）親側３０を粘合し、固定ベルトをシートのヘッドレスト部位４０に固定して、ヘッドレストが固定ベルトを上下に移動できるようにし、即ち、無段式で高度調整が可能になり、後吊りベルトに隠されたマジックテープ（登録商標）子側により、調整後のヘッドレストを定位させ、座る人の身長、体型の差異や、座る時と横たわる時の長さの違い等の問題を克服し、頚部の中空部により生じる疲労を改善し、快適な座り心地を提供する。
【００１０】
図８、図９で示されるように、固定ベルト２０はスクリーン４１を設置するシートには直接使用できず、依って、外側に設置したマジックテープ（登録商標）親側３０の固定ベルト両端をカバー５０に縫合し、カバーのロープ５１により、カバーをシートのヘッドレスト部位４０に固定し、ヘッドレスト１０の開放式側吊りベルト１１により、カバー上の固定ベルトを吊りベルト後に設置し、後吊りベルトに隠されたマジックテープ（登録商標）子側３１により、調整後のヘッドレストを定位し、ヘッドレスト調整功能を達成する。
【００１１】
更に説明を加えると、吊りベルト１１はヘッドレスト１０の上縁に設置される時、ヘッドレストは固定ベルト上で自由に移動でき、ヘッドレストの高度を調整することができ、ヘッドレストの距離を引き伸ばすことができる（図５と図９で示される）。このほか、ヘッドレストの吊りベルトは開放式でマジックテープ（登録商標）による粘合方式を採用しているが、一般のボタン６０により連接する方式を採用してもよい（図１０で示される）。或いは、ヘッドレスト背側の吊りベルトを取り消してマジックテープ（登録商標）を保留し、マジックテープ（登録商標）を直接接合する方式に、マジックテープ（登録商標）の親側の固定ベルト、及び、座椅子カバーを使用して、ヘッドレストの吊りベルトが縫合方式で固定される場合、固定ベルトを吊りベルト下方で穿置して使用し、カバーと合わせて使用する必要がある場合は、固定ベルトをまず吊りベルト下に設置し、固定ベルトをカバーに縫合する方式でヘッドレストを設置する。
【００１２】
上述のように、調整功能を有するヘッドレストは、固定ベルトで上下に移動できるので、無段式高度調整が可能で、座る人の身長や体型の差異、及び、椅子の長さ調整が不便である等の問題を克服し、快適な靠れを提供するヘッドレスト１０を達成し、長距離、短距離の使用において、快適な車輌空間を提供する。
【００１３】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案明の保護範囲は、実用新案請求の範囲で指定した内容を基準とする。
【図面の簡単な説明】
【００１４】
【図１】一般状態の実施図である。
【図２】本考案の構造の立体図である。
【図３】本考案の構造の実施図である。
【図４】本考案の構造の実施図である。
【図５】本考案の構造の実施図である。
【図６】本考案の構造の実施図である。
【図７】本考案の構造の実施図である。
【図８】本考案の構造の実施図である。
【図９】本考案の構造の実施図である。
【図１０】本考案のもう一つの実施例の構造の立体図である。
【符号の説明】
【００１５】
１０  ヘッドレスト
１１  吊りベルト
２０  固定ベルト
３１  マジックテープ（登録商標）子側
３０  マックテープ親側
４０  ヘッドレスト部位
４１  スクリーン
５０  カバー
５１  ロープ
６０  ボタン
【図１】
0003133892.tif 000003
【図２】
0003133892.tif 000004
【図３】
0003133892.tif 000005
【図４】
0003133892.tif 000006
【図５】
0003133892.tif 000007
【図６】
0003133892.tif 000008
【図７】
0003133892.tif 000009
【図８】
0003133892.tif 000010
【図９】
0003133892.tif 000011
【図１０】
0003133892.tif 000012